(57)【要約】【課題】本発明の課題は、自然な状態で指先部に対応する位置でタッチパネルを操作可能なタッチパネル操作用指装着具を提供する。【解決手段】本発明によるタッチパネル操作用指装着具は、指に差し込み付けるための金属製の把持部と、タッチパネル面に接触して操作するためであって、指先に位置させる導電体のパッドと、両者をつなぐ接続体と、を備えるものである。【選択図】図１
2018077739.tif 000002
【特許請求の範囲】
【請求項１】
指に差し込み付けるための導電性を有する把持部と、タッチパネル面に接触して操作するためであって、導電体のパッドと、前記把持部と前記パッドをつなぐ接続体と、を備えることで、前記パッドが前記指の指先に位置させ、
前記操作において、前記タッチパネル面を前記指先で操作しているのと同じ状態にすることを特徴とするタッチパネル操作用指装着具。
【請求項２】
前記パッドから前記接続体と前記把持部と、前記指に装着した場合には、前記指を介して前記装着者の人体まで導電性を持って繋がっていることを特徴とする請求項１記載のタッチパネル操作用指装着具。
【請求項３】
前記パッドは、パッド基体と、前記パッドの上に載せた柔軟性介在物と、前記柔軟性介在物に被せた導電被覆部とで構成することで、前記パッドが前記タッチパネル面を柔らかく押すことを可能としたことを特徴とする請求項１又は請求項２記載のタッチパネル操作用指装着具。
【発明の詳細な説明】
【技術分野】
【０００１】
本発明は、スマートフォンやタブレットＰＣなどのタッチパネルを指で操作する場合に使用する指装着具に関するものである。
【背景技術】
【０００２】
上記のタッチパネルの操作の場合に、二つの要求がある。１つ目は、手袋をしたまま操作をしたい。二つ目は、素手の場合に乾燥した指でも操作できる。乾燥すると感度が落ちるためである。又、この場合、付随した要求事項としては、タッチパネル面に手指の脂や汚れが付かないこと。図５は、タッチパネル操作具の従来提案を示す図である。１つ目の要求に対して、５−Ａ、５−Ｂ、５−Ｃに示すものが見出される。特許文献１は、指先が導電性で、その他の部分に滑り止めが付いているものである。特許文献２と特許文献３は、やはり手袋で指先が導電性のものである。更に、特許文献４、特許文献５は、手袋の指先の一部に導電体を張り付けたものである。寒い時期には、手袋をしたままで操作が可能である点については、特許文献１から特許文献４は、共通の利点があるが、寒くない時期には使用できない、冬限定のものである。そして、これらは、共通の欠点として、手袋は適度の間隔で洗濯する必要があるので、その際に、もまれているうちに導電部が劣化してしまうことである。
そんな中で、指先に付ければ、手袋（この場合、手袋から指先は露出している方がよい）とは無関係に、操作が可能なものとして、５−Ｄに示す特許文献６の提案がある。これは、二つ目の要求に対応するものである。指先に付けるものであり、伸縮性の金属製のリングに金属繊維製の半球状突起物を付けたものである。これには、次の欠点がある。リングは、指に付ける場合に落ちないように、第一関節の付近又は、最低限、爪より指先から遠い側に付けなければならない。そうすると、リングについた突起物の位置が、図のように指先よりかなり遠い位置になってしまい、タッチパネルとの接触が行いにくい状況になる。これは、操作にとって極めて不都合なことである。通常、操作は、指先の部分でタッチするものだからである。無理に操作するならば、指先が邪魔にならずに、突起部をタッチパネル面に当てるには、意図して指を上にそらして、手の平を下げるようにして操作しなければならないが、これは不自然な姿勢になり疲労を感じる姿勢である。通常の指先を付ける操作では、指先は自然に下に向いているので、なんら疲れることはない。極めて大きな不都合である。
【先行技術文献】
【特許文献】
【０００３】
【特許文献１】実用新案登録３１７１２５０
【特許文献２】実用新案登録３１６０２１１
【特許文献３】実用新案登録３１６７３２７
【特許文献４】特開２００８−８１８８９６
【特許文献５】特開２００１−１１５３１９
【特許文献６】実用新案登録３１８２５８４
【発明の概要】
【発明が解決しようとする課題】
【０００４】
本発明の課題は、自然な状態で指先部に対応する位置でタッチパネルを操作可能なタッチパネル操作用指装着具を提供することである。
【課題を解決するための手段】
【０００５】
本発明にかかるタッチパネル操作用指装着具は、指に差し込み付けるための導電性を有する把持部と、タッチパネル面に接触して操作するためであって、指先に位置させる導電体のパッドと、両者をつなぐ接続体と、を備えるものである。
するものである。
以下、請求項に沿って記述する。
【０００６】
請求項１記載の発明は、タッチパネル操作用指装着具であって、
指に差し込み付けるための導電性を有する把持部と、タッチパネル面に接触して操作するためであって、導電体のパッドと、前記把持部と前記パッドをつなぐ接続体と、を備えることで、前記パッドが前記指の指先に位置させ、
前記操作において、前記タッチパネル面を前記指先で操作しているのと同じ状態にすることを特徴とする。
【０００７】
請求項２記載の発明は、請求項１記載のタッチパネル操作用指装着具において、
前記パッドから前記接続体と前記把持部と、前記指に装着した場合には、前記指を介して前記装着者の人体まで導電性を持って繋がっていることを特徴とする。
【０００８】
請求項３記載の発明は、請求項１又は請求項２記載のタッチパネル操作用指装着具において、前記パッドは、パッド基体と、前記パッドの上に載せた柔軟性介在物と、前記柔軟性介在物に被せた導電被覆部とで構成することで、前記パッドが前記タッチパネル面を柔らかく押すことを可能としたことを特徴とする。
【発明の効果】
【０００９】
以上の様に構成されているので、本発明によれば、把持部により、しっかりと、指に固定され、接続体により、パッドが指先に対応する位置にあるため、指先で操作しているのと同じ状態になり、自然な動作となり、疲労せず、且つ、皮膚の乾燥にも無関係であり、脂や汚れをタッチパネルに付ける恐れもない。
【図面の簡単な説明】
【００１０】
【図１】本発明にかかるタッチパネル操作用指装着具の一実施態様を示す図である。
【図２】本発明にかかるタッチパネル操作用指装着具の種々の実施態様を示す図である。
【図３】本発明にかかるタッチパネル操作用指装着具の使用状態の一実施態様を示す図である。
【図４】本発明にかかるタッチパネル操作用指装着具の使用状態の他の実施態様を示す図である。
【図５】タッチパネル操作具の従来提案を示す図である。
【発明を実施するための形態】
【００１１】
本発明にかかるタッチパネル操作用指装着具は、指に差し込み付けるための導電性を有する把持部と、タッチパネル面に接触して操作するためであって、指先に位置させ導電体のパッドと、両者をつなぐ接続体と、を備えるものである。
以下図に沿って説明する。
【００１２】
図１は、本発明にかかるタッチパネル操作用指装着具の一実施態様を示す図である。
１−Ａにおいて、把持部１１０とパッド１２０とこれらの間を接続する接続体１３０を備えている。把持部１１０は、この例では、指に差し込み指に固定される。この例では、リング状をしている。パッド１２０は、把持部１１０を指に差し込んだ使用状態では、指先に位置させられるもので、導電体である。パッド１２０と把持部１１０の間は、接続体１３０で接続されることで、把持部１１０をしっかり固定できる位置に差し込んだときに、パッド１２０が指先の位置に位置が合うように形成されている。
ここで、パッド１２０から接続体１３０、把持部１１０、さらに指を介して人体まで導電性で繋っていることが好都合である。指が乾燥しても、把持部１１０の指との接触面を大きくできるため、導電性が改善される。更に、積極的に把持部１１０と指の接触界面を湿らすことや、導電性のクリームを施すことで、導電性が改善される。
通常、指で操作している場合は、湿らせることや、導電性のクリームを施すと、タッチパネル面にこれらがついて汚してしまうが、本発明では、パッド１２０はそのような汚す恐れは全くないので、好都合である。
尚、パッド１２０は、導電体の付与の為に、単なる金属や金属網（糸）で構成する以外に、
１−Ｂに示すように、パッド基体１２１と、その上に載せた柔軟性介在物１２２と、これに被せた金属箔や金属網（糸）等の導電被覆部１２３で複合構成することができる。このようにすると、柔軟性介在物１２２のクッション作用で、パッド１２０がタッチパネル面を柔らかく押すので、傷がつくことを回避できる。尚、接続体１３０にも適度な弾性を持たせると、同様な効果が期待できる。尚、この例では、パッド基体１２１は、接続体１３０を指先に達するような位置まで伸ばした延長体となっている。
１−Ｃでは、１−Ａのタッチパネル操作用指装着具１００を指に付けた状態を示している。パッド１２０が指先に位置しているので、あたかも指先で操作しているように操作できる。
【００１３】
図２は、本発明にかかるタッチパネル操作用指装着具の種々の実施態様を示す図である。
２−Ａでは、図１の１−Ａとの違いは、把持部１１０のリング状の下側が切れていて、押し曲げることで、指の太さへの対応ができることである。接続体１３０は、切れ目２１０の端の一方側で把持部１１０に接続している。２−Ｂでは、２−Ａとの差は、切れ目の反対側、図の上側で接続体１３０は把持部１１０に接続していて、パッド１２０は、爪の上を越えて、指先に位置に回り込んでいる。２−Ｃでは、接続体１３０は、切れ目２１０のない把持部１１０の途中に接続していて、パッド１２０は、指先に位置にある。２−Ｄは、全ての前者の変形であり、把持部１１０はリング状ではなく、把持部１１０と接続体１３０とパッド１２０は一体となって、全体で指サック状の形態をしているものである。
【００１４】
図３は、本発明にかかるタッチパネル操作用指装着具の使用状態の一実施態様を示す図である。３−Ａでは、タッチパネル操作用指装着具の把持部１１０を指の第一関節の付近まで差し込んで使用している。３−Ｂでは、差し込み位置は、爪の取り付付近である。
両者ともパッド１２０は、指先に位置にあるので、接続体１３０の長さが異なる。
【００１５】
図４は、本発明にかかるタッチパネル操作用指装着具の使用状態の他の実施態様を示す図である。４−Ａでは、特に親指に付けて使用する場合に好都合である。親指は、手の指を全部使用する場合では、親指の側面がタッチパネル面に当たる向きである場合があり、この場合は、指先の腹より側面にパッド１２０が位置している方が良い。このような使用例である。４−Ａのものは、２−Ｃのもののパッド位置を指の側面にしたものである。
４−Ｂでは、左右の手の指を全て使う場合の例で、右手のみしめすと、右手の手のひら側からみて、パッド１２０の位置は、親指以外の指は、指先の腹にあるが、親指は指先の側面にある場合を示す。タッチパネル操作用指装着具は、指一本で使っても、複数本使ってよい。
【００１６】
尚、導電性にすることは、金属自体で構成することでもよいし、絶縁体に金属網や金属糸、金属箔などを被せたものなど、手段は問わない。
【産業上の利用可能性】
【００１７】
以上のように本発明にかかるタッチパネル操作用指装着具は、パッドが指先に対応する位置にあるため、指先で操作しているのと同じ状態になり、自然な動作となり、疲労せず、且つ、皮膚の乾燥にも無関係であり、脂や汚れをタッチパネルに付ける恐れもないので、
産業上利用して極めて好都合である。
【符号の説明】
【００１８】
１００  タッチパネル操作用指装着具
１１０  把持部
１２０  パッド
１２１  パッド基体
１２２  柔軟性介在物
１２３  導電被覆部
１３０  接続体
２１０  切れ目
【図１】
2018077739.tif 000003
【図２】
2018077739.tif 000004
【図３】
2018077739.tif 000005
【図４】
2018077739.tif 000006
【図５】
2018077739.tif 000007